(57)【要約】【課題】  電子機器の扱いにおいて邪魔になりにくい送受信器を提供すること。【解決手段】  アンテナ部と、アンテナ部に電気的に接続された電子部品を備えた本体部とを備え、電子機器に設けられた開口部に挿入装着して使用される送受信器であって、本体部を開口部への挿入装着により、アンテナ部のみが電子機器の外部に露出するよう、本体部とアンテナ部とが境界付けられている構成の送受信器。【選択図】  図２
2012005047.tif 000002
【特許請求の範囲】
【請求項１】
アンテナ部と、該アンテナ部に電気的に接続された電子部品を備えた本体部とを備え、電子機器に設けられた開口部に挿入装着して使用される送受信器であって、
前記本体部を開口部への挿入装着により、前記アンテナ部のみが電子機器の外部に露出するよう、本体部とアンテナ部とが境界付けられていることを特徴とする送受信器。
【請求項２】
本体部に、電子機器側の被接続電子部品と電気的に接続される接続電子部品を備えた回路基板が設けられ、該回路基板に、前記接続電子部品に電気的に接続される他の電子部品が、接続電子部品を取付けた基板一面側と基板他面側とに振り分けて取付けられていることを特徴とする請求項１記載の送受信器。
【発明の詳細な説明】
【技術分野】
【０００１】
本発明は、パーソナル・コンピュータ（以下「パソコン」と称す）等に装着して使用される送受信器に関する。
【背景技術】
【０００２】
この種の送受信器として、下記特許文献１に示すものがある。この送受信器は、本体部とアンテナ部とを備え、電子機器（例えばパソコン）に形成した開口部に本体部が装着される。そして、使用する電子機器がパソコンであれば、マウスからの信号をアンテナ部で受信し、本体部に備えた電子部品からパソコン本体側にマウスからの操作信号を送信することで、パソコン本体の所定の機能が動作するよう構成されている。
【先行技術文献】
【特許文献】
【０００３】
【特許文献１】実用新案登録第３１０９７６２号公報
【発明の概要】
【発明が解決しようとする課題】
【０００４】
一般に、電子機器において開口部の電子機器内部へ向う深さは決まっている。このため、上記従来の送受信器では、電子機器に形成した開口部に本体部を装着すると、本体部の一部が、開口部から電子機器本体（パソコン本体）の外側に露呈してしまっていた。したがってその分だけ電子機器本体からの突出量が多くなり、電子機器の使用中や持ち運び時に邪魔になり易かった。
【０００５】
そこで本発明は、上記課題に鑑み、電子機器の扱いにおいて邪魔になりにくい送受信器の提供を目的とする。
【課題を解決するための手段】
【０００６】
本発明は、アンテナ部と、該アンテナ部に電気的に接続された電子部品を備えた本体部とを備え、電子機器に設けられた開口部に挿入装着して使用される送受信器であって、前記本体部を開口部への挿入装着により、前記アンテナ部のみが電子機器の外部に露出するよう、本体部とアンテナ部とが境界付けられていることを特徴としている。
【０００７】
上記構成によれば、送受信器を電子機器の開口部に装着すると、本体部が電子機器の内部にあって、電子機器の外部にはアンテナ部が露出するだけであるので、電子機器から突出する部分が極小になる。
【０００８】
電子機器の一例として、ノート型パソコン等のパソコンが挙げられ、この場合、マウスあるいはキーボードからの信号を送受信器が受信して、パソコン本体の所定の機能の駆動を行う。しかしながら、電子機器はパソコンに限定されず、ゲーム機器その他、送受信器を介して別の機器どうしで駆動信号を遣り取りする電子機器を含む概念である。例えばゲーム機器であれば、送受信器は、ゲーム機器とコントローラの間で送受信器を介して駆動信号が遣り取りされることで、ゲーム機器あるいはコントローラの所定の機能が働くよう用いられる。
【０００９】
本発明の送受信器では、本体部に、電子機器側の被接続電子部品と電気的に接続される接続電子部品を備えた回路基板が設けられ、該回路基板に、前記接続電子部品に電気的に接続される他の電子部品が、接続電子部品を取付けた基板一面側と基板他面側とに振り分けて取付けられている構成を採用することができる。
【００１０】
電子部品を基板一面側と基板他面側とに振り分けることで、その分だけ回路基板の、電子機器の開口部に挿入される長さを短くすることが可能であり、しかも開口部の電子機器内部へ向う深さに合致させ得る。
【発明の効果】
【００１１】
本発明の送受信器によれば、本体部を開口部への挿入装着により、アンテナ部のみが電子機器の外部に露出するよう、本体部とアンテナ部とが境界付けられているから、送受信器において電子機器から突出する部分が極小になり、電子機器の取扱いや使用に際して、邪魔になりにくい。
【図面の簡単な説明】
【００１２】
【図１】本発明の一実施形態に係る送受信器の使用状態を示す全体斜視図である。
【図２】同送受信器の単体斜視図である。
【図３】同平面図である。
【図４】同分解斜視図である。
【図５】同基板の平面図である。
【図６】同基板の底面図である。
【図７】同蓋部材を外した状態での送受信器の背面図である。
【図８】同底面図である。
【発明を実施するための形態】
【００１３】
以下、本発明の送受信器の一実施形態を、図面に基づいて説明する。この実施形態では電子機器を、パソコンを例として説明する。すなわち、該パソコンに装着する送受信器であって、マウスが操作されるとその操作に伴う駆動信号を受信し、パソコン本体にマウスの操作に応じた駆動信号を送信する送受信器である。
【００１４】
図１ないし図８に示すように、送受信器１は、枠体２と、回路基板３との組合せにより構成されている（特に、図４参照）。枠体２は本体部４の一部を構成する基板露呈用枠部５と、基板露呈用枠部５の一方側（外側）端部に形成されるとともにアンテナ部６の一部を構成する基板挿入用枠部７とから一体的に形成されている。また枠体２は、基板挿入用枠部７の、後述する挿入穴８（図７、図５参照）を塞ぐための蓋部材１０を備えている。
【００１５】
基板露呈用枠部５は、全体として上下が開放された平面視ロ字形の枠状に形成され、その一端側部分（前側部分）は、他側部に対して上方に立ち上がる段付枠部１１とされている。この段付枠部１１が前記基板挿入用枠部７と一体化されている。したがって、基板露呈用枠部５における段付枠部１１以外の部分、すなわち平面視してコ字形をした奥部１２は、段付枠部１１に比べて高さが低く形成されている。
【００１６】
基板挿入用枠部７は、基板露呈用枠部５に対して上下・左右方向に拡大され、回路基板３を正面側から挿入する矩形の挿入穴８が形成されて、正面視して矩形枠状に形成されている。すなわち、基板挿入用枠部７は、基板露呈用枠部５に対して上下・左右方向に沿う段付面１３（当接面）を有している。
【００１７】
図２、図３および図８に示すように、基板露呈用枠部５は、枠体２の一部を構成する角筒状の金属製枠部材１４で外嵌されている。金属製枠部材１４は長手方向（前後方向）に同一径である扁平な角筒状に形成され、その内面形状は、段付枠部１１の外面形状に略一致している。金属製枠部材１４の上面端辺部には、段付枠部１１の上面に形成された係止溝１１ａに係止する挿入片１４ａが形成されて、金属製枠部材１４が基板露呈用枠部５全体に、着脱自在に外嵌装着されている。金属製枠部材１４の外面の形状の大きさは、パソコン１５のパソコン本体１６の側面１６ａに形成された矩形の開口部１７の大きさよりわずかに小さく設定されている。逆に、基板挿入用枠部７（段付面１３）は、開口部１７に比べて大きく設定されている。
【００１８】
金属製枠部材１４が基板露呈用枠部５全体を外嵌しているが、基板露呈用枠部５における奥部１２は、段付枠部１１に比べて高さが低くなっているから、金属製枠部材１４の内面と奥部１２の上面との間には、隙間１８が形成されている（図２、図７参照）。なお、金属製枠部材１４の長手方向長さと、基板露呈用枠部５の長手方向長さとは実質的に一致している。
【００１９】
蓋部材１０は、基板挿入用枠部７の挿入穴８を塞ぐべく、挿入穴８と同一形状に形成されており、挿入穴８を塞いだ状態で、基板挿入用枠部７の前面と蓋部材１０の前面とが面一となるよう、蓋部材１０は平板状に形成されている。
【００２０】
回路基板３は、その一端側に設けられてアンテナ２０をプリントしたアンテナ基板２１と一体的に形成されている（図５および図６参照）。アンテナ２０は、ミアンダ状に形成されている。回路基板３とアンテナ基板２１とは同一の厚みに形成されている。アンテナ基板２１の両面は回路基板３と面一とされ、回路基板３に延長して形成されている。アンテナ基板２１は、その前部に、回路基板３よりも左右方向の幅を大きく形成することで左右方向に突出する肩部２１ａが形成されている。
【００２１】
回路基板３に取付けられる電子部品として、端子（接続電子部品に相当する）２２、コンデンサ２３、抵抗２４、発信子２５、ＩＣ、コイル２６等である。これら電子部品は、回路基板３の表面（上面であり、回路基板３の一面に相当する）３ａおよび裏面（回路基板３の他面に相当する）３ｂに振り分けて取付けられている。特に端子２２は、回路基板３の表面３ａの奥側に取付けられている。アンテナ２０もまた、アンテナ基板２１の表面２１ｂに形成されている。
【００２２】
この実施形態において、端子２２は回路基板３の左右幅方向に離間して四個設けられている。回路基板３において、端子２２とアンテナ２０との間に、コンデンサ２３およびコイル２６が取付けられ、この場合、アンテナ２０の一端部が回路基板３の表面３ａに取付けられた電子部品として、コンデンサ２３に接続されている。
【００２３】
回路基板３の裏面３ｂには発信子２５、ＩＣ、コンデンサ２３、抵抗２４が取付けられている。特にＩＣとして、ＲＦ（Ｒａｄｉｏ  Ｆｒｅｑｕｅｎｃｙ）無線ＩＣが用いられている。回路基板３において電子部品を表面３ａ、裏面３ｂに振り分けているから、回路基板３は、電子部品どうしが回路基板３を介して対向される領域３ｃを有している。
【００２４】
この送受信器１では、基板どうしで境界付けられ、枠体２において境界付けられている。すなわち、基板においては回路基板３とアンテナ基板２１とで境界付けられ、枠体２においては、金属製枠部材１４および基板露呈用枠部５と、基板挿入用枠部７および蓋部材１０とで境界付けられている。換言すれば、上記構成の回路基板３およびアンテナ基板２１の一体物が基板挿入用枠部７の挿入穴８の前部から奥側（後方）へ挿入されて、回路基板３が基板露呈用枠部５内領域に位置し、アンテナ基板２１が基板挿入用枠部７内領域に位置することで、本体部４とアンテナ部６とが境界付けられた構成となっている。
【００２５】
上記各構成部品を用いて送受信器１を組立てるには、次のようにして行うことが好ましい。すなわち、枠体２の本体部４を構成する基板挿入用枠部７の挿入穴８から回路基板３およびアンテナ基板２１の一体物を、アンテナ基板２１が基板挿入用枠部７の奥側へ向けて挿入する。すなわち、アンテナ基板２１の肩部２１ａが、基板挿入用枠部７において段付面１３に対向する奥面に係止するまで挿入する。そうすると、回路基板３は基板露呈用枠部５内に至り、基板露呈用枠部５は上下が開放されているから、回路基板３の電子部品は露呈する。
【００２６】
このとき、回路基板３の表面３ａ側においては、端子２２のみが露呈し、回路基板３の表面３ａに取付けた他の電子部品（図３におけるコンデンサ２３、コイル２６）は、段付枠部１１の下側にあって段付枠部１１により隠蔽される。裏面３ｂ側に取付けた電子部品については全て露呈する。
【００２７】
続いて、金属製枠部材１４を基板露呈用枠部５に装着する。基板露呈用枠部５における奥部１２は、段付枠部１１に比べて高さが低くなっているから、金属製枠部材１４の内面と奥部１２の上面との間に隙間１８が形成された状態となる。また、基板挿入用枠部７に蓋部材１０を、基板挿入用枠部７の前面と蓋部材１０の前面とが面一となるよう装着する。
【００２８】
このようにして組立てた送受信器１を、図１に示すように、パソコン本体１６の開口部１７へ、金属製枠部材１４側から装着する。金属製枠部材１４の外面の形状の大きさは、開口部１７の大きさよりわずかに小さく設定されているから、金属製枠部材１４は開口部１７に容易に挿入され、基板挿入用枠部７は、開口部１７に比べて大きく設定されているから、金属製枠部材１４が開口部１７に挿入されると、基板挿入用枠部７の段付面１３である当接面がパソコン本体１６の側面１６ａに当接して、それ以上挿入されない。
【００２９】
なお送受信器１（特に金属製枠部材１４）が開口部１７から奥側に挿入されると、パソコン本体１６内部に設けてある端子（被接続部材）が上側の隙間１８に挿入されて、回路基板３の端子２２とパソコン本体１６の前記端子とが接触して電気的に接続される。送受信器１を開口部１７に挿入すると、パソコン本体１６内部側に設けてある端子と端子２２とが摺動して、回路基板３がパソコン本体１６の外側に押しやられる力を受けることが考えられる。しかしながら、仮にそうなったとしても、基板挿入用枠部７には蓋部材１０が装着されていて、この蓋部材１０によって回路基板３がパソコン本体１６の外側に押しやられるのを防止することができる。
【００３０】
上記のように、送受信器１は、回路基板３において電子部品を表面３ａ、裏面３ｂに振り分けて（電子部品どうしが回路基板３を介して対向される領域３ｃを有し）いるから、回路基板３をできるだけ小さくできる。そして、送受信器１をパソコン本体１６に装着すると、アンテナ部６がパソコン本体１６の側面１６ａから突出するだけなので、送受信器１におけるパソコン本体１６から突出する部分がアンテナ部６のみとなる。したがって、送受信器１におけるパソコン本体１６からの突出量を極小にすることができる。このため、送受信器１が、パソコンの扱いにおいて邪魔になりにくい。
【００３１】
また、アンテナ２０はアンテナ基板２１の表面２１ｂに形成されているから、マウスＭからの操作信号を受信し易く、したがって、パソコン本体１６の所定の機能の駆動を円滑に行わせることができる。
【００３２】
本発明は上記実施形態に限定されず、本発明の範囲で多くの変更が可能である。上記実施形態では、アンテナ基板２１の両面は回路基板３と面一となるよう、回路基板３に延長して形成したが、これに限定されない。
【００３３】
例えば、アンテナ２０と回路基板３にある電子部品とを電気的に接続したうえで、回路基板３に対してアンテナ基板２１を折曲げた形態で形成することもできる。そして、送受信器をパソコン本体１６へ装着した際に、基板においては回路基板３がパソコン本体１６内にあって、アンテナ基板２１がパソコン本体１６の側面１６ａに沿って存在するよう構成することで、送受信器においてパソコン本体１６の側面１６ａからの突出量をさらに小さくすることが可能である。この場合、アンテナ２０は、アンテナ基板２１において、パソコン本体１６の側面１６ａに対向する面に設けるのではなく、パソコン本体１６の側面１６ａに対向する面の反対側の面に設けることが好ましい。これは、アンテナ２０該面に配置して、マウスＭからの信号を円滑に受信し易くするためである。
【００３４】
上記実施形態では、アンテナ基板２１は、その前部に、回路基板３よりも左右方向の幅を大きく形成することで左右方向に突出する肩部２１ａを有して、アンテナ基板２１の肩部２１ａが、基板挿入用枠部７において段付面１３に対向する奥面に係止するまで挿入された構成である。しかしながら、アンテナ基板２１は肩部２１ａを有しなくてもよく、したがって、基板挿入用枠部７は、基板露呈用枠部５に対して上下・左右方向に拡大された形状でなく、基板露呈用枠部５と同一の左右幅に設定することもできる。勿論この場合も、アンテナ部のみがパソコン本体１６から突出するように構成する。
【００３５】
上記実施形態では、送受信器をパソコンに用い、マウスからの操作信号を受信してパソコン本体に所定の動作をさせる装置として用いた。しかし、この送受信器はパソコンに用いる場合では、コードレス式のキーボードからの操作信号を受信してパソコン本体に所定の動作をさせる装置として用いることもできる。
【００３６】
さらに、送受信器はパソコンに用いるのみならず、ゲーム機器等の電子装置に利用することも可能である。この場合、送受信器をゲーム機器本体に装着し、ゲーム機器のコントローラからの駆動信号をゲーム機器本体側に送信して、この信号によってゲーム機器の所定の機能が働くようにすることもできる。あるいは、ゲーム機器本体側から信号をコントローラに送信して、コントローラに振動等の動作をするよう機能させることもできる。
【符号の説明】
【００３７】
１…送受信器、２…枠体、３…回路基板、３ａ…表面、３ｂ…裏面、３ｃ…領域、４…本体部、５…基板露呈用枠部、６…アンテナ部、７…基板挿入用枠部、８…挿入穴、１０…蓋部材、１１…段付枠部、１２…奥部、１３…段付面、１４…金属製枠部材、１４ａ…挿入片、１５…パソコン、１６…パソコン本体、１６ａ…側面、１７…開口部、１８…隙間、２０…アンテナ、２１…アンテナ基板、２２…端子、２３…コンデンサ、２４…抵抗、２５…発信子、２６…コイル
【図１】
2012005047.tif 000003
【図２】
2012005047.tif 000004
【図３】
2012005047.tif 000005
【図４】
2012005047.tif 000006
【図５】
2012005047.tif 000007
【図６】
2012005047.tif 000008
【図７】
2012005047.tif 000009
【図８】
2012005047.tif 000010